(57)【要約】【課題】  記録された番組を記録日付をもとに、カレンダー形式に表示することで、記録された番組の履歴を分かりやすくし、さらに、これまでユーザが別々に操作していた、番組記録のリスト表示と記録又は視聴を行う番組予約処理とを連動して行えるようにすることにより、操作性を向上させる記録再生装置等を提供すること。【解決手段】  カレンダー形式記録リストＣ１０に、記録再生装置に記録されたデータストリーム（番組）の番組名をあわせて表示する。ユーザによりカーソルが操作され、一の日付が選択されると、選択された日付に記録された番組の番組情報を番組別記録リストＬ１０として同一画面に表示する。【選択図】  図３
2007012102.tif 000002
【特許請求の範囲】
【請求項１】
放送された番組を受信し、受信した番組をデジタル信号形式のデータストリームとしてランダムアクセス可能なデジタル記録メディアに記録及び再生する記録再生装置において、
前記デジタル記録メディアにデータストリームを記録した記録日時、番組名、放送チャンネル、記録時間又は記録したデータストリームのデータ形式をデータストリームに関するストリーム記録情報として記憶するストリーム記録情報記憶手段と、
前記ストリーム記録情報に基づいて、記録されたデータストリームを並べ替えて配列する並替配列手段と、
前記並替配列手段により配列されたデータストリームを選択するための選択画面を作成する選択画面作成手段と、
前記選択画面作成手段により作成された選択画面を表示する選択画面表示手段と、
前記選択画面表示手段により表示された選択画面の中から、データストリームを選択するデータストリーム選択手段と、
を備えることを特徴とする記録再生装置。
【請求項２】
前記ストリーム記録情報には、少なくともデータストリームを記録した記録日時が含まれており、
前記選択画面作成手段は、前記ストリーム記録情報に含まれる記録日時に基づいて、日付毎に前記ストリーム記録情報を表示し、前記データストリームを選択するための日付選択画面を作成する日付選択画面作成手段を有し、
前記日付選択画面作成手段により作成された日付選択画面を表示する日付選択画面表示手段と、
前記日付選択画面上の任意の日付に移動し、日付毎に表示された前記ストリーム記録情報から、データストリームを選択する日付毎データストリーム選択手段と、
を更に備えることを特徴とする請求項１に記載の記録再生装置。
【請求項３】
前記日付選択画面表示手段により表示された日付選択画面上で任意の日付を選択することで、当該日付を記録日時とするデータストリームに関するストリーム記録情報を表示するストリーム記録情報表示手段を更に備えることを特徴とする請求項２に記載の記録再生装置。
【請求項４】
前記日付選択画面表示手段により表示される日付選択画面は、一ヶ月毎のカレンダー形式で表示されていることを特徴とする請求項２又は請求項３に記載の記録再生装置。
【請求項５】
前記日付選択画面表示手段により表示される一ヶ月毎のカレンダー形式の日付選択画面上で任意の日付が選択された際に、当該日付に記録されたデータストリームが複数ある場合に、当該日付のデータストリームに関するストリーム記録情報が一覧表示され、その中から任意のデータストリームの選択を可能にすることを特徴とする請求項４に記載の記録再生装置。
【請求項６】
前記日付選択画面表示手段により表示される日付選択画面において、現在日時から未来の日時を選択する未来日付選択手段と、
前記未来日付選択手段により選択された日付と、当該日付における任意の指定された時間と、任意の指定された受信チャンネルとに基づいて番組記録予約又は番組視聴予約を行う番組予約手段を備えることを特徴とする請求項２から請求項５のいずれか一に記載の記録再生装置。
【請求項７】
電子番組表情報を取得する電子番組表取得手段を備え、
前記日付選択画面作成手段は、前記電子番組表取得手段により取得した前記電子番組表に関連した日付選択画面を作成する番組表日付選択画面作成手段を更に有し、
前記番組表日付選択画面作成手段により作成された日付選択画面において、現在の日付から未来の日付を選択する未来日付選択手段と、
前記未来日付選択手段により未来の日付が選択されると、前記未来の日付に対応する電子番組表を表示する電子番組表表示手段と、
を更に備えたことを特徴とする請求項２に記載の記録再生装置。
【請求項８】
前記電子番組表に関連した日付選択画面において、選択表示された当該日時の電子番組表から所望の番組記録予約又は番組視聴予約を行う番組予約手段を備えることを特徴とする請求項７に記載の記録再生装置。
【請求項９】
前記番組予約手段は、
前記ストリーム記録情報から、選択された日以前に連続して毎週の一定時間に記録される番組を検出する検出手段と、
前記検出手段における検出結果から毎週の番組記録予約又は番組視聴予約の設定を促す案内を表示する毎週予約表示手段と、
を有することを特徴とする請求項６又は８に記載の記録再生装置。
【請求項１０】
前記番組予約手段は、
前記ストリーム記録情報から、選択された日以前に連続して毎日の一定時間に記録される番組を検出する検出手段と、
前記検出手段における検出結果から毎日の番組記録予約又は番組視聴予約の設定を促す案内を表示する毎日予約表示手段と、
を有することを特徴とする請求項６又は８に記載の記録再生装置。
【請求項１１】
電子番組表情報を取得する電子番組表取得手段を更に備え、
前記日付選択画面作成手段は、前記電子番組表取得手段により取得した前記電子番組表に関連した日付選択画面を作成する番組表日付選択画面作成手段を更に有し、
日付ごとに表示される前記日付選択画面において、現在日時から過去の日時を選択する過去日付選択手段と、
前記過去日付選択手段により選択された過去の日付の電子番組表を表示する過去電子番組表表示手段と、
を備えたことを特徴とする請求項２記載の記録再生装置。
【請求項１２】
前記過去電子番組表表示手段は、前記表示された番組に関するデータストリームがデジタルメディアに記録されている場合に識別表示を行う記録済識別表示手段を備えることを特徴とする請求項１１記載の記録再生装置。
【請求項１３】
放送された番組を受信し、受信した番組をデジタル信号形式のデータストリームとしてランダムアクセス可能なデジタル記録メディアに記録及び再生するコンピュータに、
前記デジタル記録メディアにデータストリームを記録した記録日時、番組名、放送チャンネル、記録時間又は記録したデータストリームのデータ形式をデータストリームに関するストリーム記録情報として記憶するストリーム記録情報記憶機能と、
前記ストリーム記録情報に基づいて、記録されたデータストリームを並べ替えて配列する並替配列機能と、
前記並替配列機能により配列されたデータストリームを選択するための選択画面を作成する選択画面作成機能と、
前記選択画面作成機能により作成された選択画面を表示する選択画面表示機能と、
前記選択画面表示機能により表示された選択画面の中から、データストリームを選択するデータストリーム選択機能と、
を実現させるためのプログラム。
【発明の詳細な説明】
【技術分野】
【０００１】
本発明は、放送された番組を受信し、受信した番組をデジタル信号形式のデータストリームとしてランダムアクセス可能なデジタル記録メディアに記録及び再生する記録再生装置等に関する。
【背景技術】
【０００２】
近年、アナログテレビジョン放送又はデジタルテレビジョン放送の信号をデジタルデータとして扱って、ハードディスクやブルーレイディスク、ＤＶＤ（Digital Versatile Disk）等のランダムアクセス可能なデジタル記録メディアを備えて、記録及び再生可能な記録再生装置が知られている。これらの装置では、デジタル記録メディアに記録された番組をディスプレイ上に表示することにより、ユーザに対して再生や編集等の際に番組の選択を容易にする発明が知られている。例えば、記録された番組の中から、特徴的なシーンをサムネイル表示して、記録された番組を選択させる際の利便性の向上を図った発明が知られている（例えば、特許文献１参照）。また、サムネイルの番組記録リストに記録の予約（いわゆる予約録画）の状態を付加して表示する発明が知られている（例えば、特許文献２参照）。
【特許文献１】特開２００４−３３６４４３号公報
【特許文献２】特開２００２−１００１６７号公報
【発明の開示】
【発明が解決しようとする課題】
【０００３】
しかしながら、前記デジタル記録メディアに記録された番組を番組名で表示、又は、サムネイル画面で表示する場合は、記録した番組名やチャンネル番号に加えて、記録した日付、時間、曜日、記録時間等の情報が併せて表示がされるに過ぎない。ハードディスクやブルーレイディスク等のように、デジタル記録メディアの記録容量が大容量化したデジタル記録再生機器では、これまで以上に多くの番組を記録することが可能となり、多くの番組を保存することが可能になっている。そのため、いつ記録したものかが、一目では分かりづらくなっていた。
【０００４】
また、これまでの記録された番組リスト（以下、適宜「番組記録リスト」という。）の表示では、番組が記録されていることが表示されるのみで、番組をいつ記録したかの履歴を明示したり、今までの記録履歴から連想できる次に予約される番組を提示するといった、番組を記録した履歴と予約処理を連動させることは出来なかった。
【０００５】
そこで本発明は、このような問題を鑑みて、記録された番組を記録日付をもとに、カレンダー形式に表示することで、記録された番組の履歴を分かりやすくし、さらに、これまでユーザが別々に操作していた、番組記録のリスト表示と記録又は視聴を行う番組予約処理とを連動して行えるようにすることにより、操作性を向上させる記録再生装置等を提供することである。
【課題を解決するための手段】
【０００６】
本発明は前記課題を解決するために、第１の発明は、放送された番組を受信し、受信した番組をデジタル信号形式のデータストリームとしてランダムアクセス可能なデジタル記録メディアに記録及び再生する記録再生装置において、前記デジタル記録メディアにデータストリームを記録した記録日時、番組名、放送チャンネル、記録時間又は記録したデータストリームのデータ形式をデータストリームに関するストリーム記録情報として記憶するストリーム記録情報記憶手段を備え、前記ストリーム記録情報に基づいて、記録されたデータストリームを並べ替えて配列する並替配列手段を有する記録再生装置であって、前記並替配列手段により配列されたデータストリームを選択するための選択画面を作成する選択画面作成手段と、前記選択画面作成手段により作成された選択画面を表示する選択画面表示手段と、前記選択画面表示手段により表示された選択画面の中から、データストリームを選択するデータストリーム選択手段と、を備えることを特徴とする。
【０００７】
また、第２の発明は、第１の発明において、前記ストリーム記録情報には、少なくともデータストリームを記録した記録日時が含まれており、前記選択画面作成手段は、前記ストリーム記録情報に含まれる記録日時に基づいて、日付毎に前記ストリーム記録情報を表示し、前記データストリームを選択するための日付選択画面を作成する日付選択画面作成手段を有し、前記日付選択画面作成手段により作成された日付選択画面を表示する日付選択画面表示手段と、前記日付選択画面上の任意の日付に移動し、日付毎に表示された前記ストリーム記録情報から、データストリームを選択する日付毎データストリーム選択手段と、を更に備えることを特徴とする。
【０００８】
また、第３の発明は、第２の発明において、前記日付選択画面表示手段により表示された日付選択画面上で任意の日付を選択することで、当該日付を記録日時とするデータストリームに関するストリーム記録情報を表示するストリーム記録情報表示手段を更に備えることを特徴とする。
【０００９】
また、第４の発明は、第２又は第３の発明において、前記日付選択画面表示手段により表示される日付選択画面は、一ヶ月毎のカレンダー形式で表示されていることを特徴とする。
【００１０】
また、第５の発明は、第４の発明において、前記日付選択画面表示手段により表示される一ヶ月毎のカレンダー形式の日付選択画面上で任意の日付が選択された際に、当該日付に記録されたデータストリームが複数ある場合に、当該日付のデータストリームに関するストリーム記録情報が一覧表示され、その中から任意のデータストリームの選択を可能にすることを特徴とする。
【００１１】
また、第６の発明は、第２〜第５の発明のうち、いずれか一の発明において、前記日付選択画面表示手段により表示される日付選択画面において、現在日時から未来の日時を選択する未来日付選択手段と、前記未来日付選択手段により選択された日付と、当該日付における任意の指定された時間と、任意の指定された受信チャンネルとに基づいて番組記録予約又は番組視聴予約を行う番組予約手段を備えることを特徴とする。
【００１２】
また、第７の発明は、第２の発明において、電子番組表情報を取得する電子番組表取得手段を備え、前記日付選択画面作成手段は、前記電子番組表取得手段により取得した前記電子番組表に関連した日付選択画面を作成する番組表日付選択画面作成手段を更に有し、前記番組表日付選択画面作成手段により作成された日付選択画面において、現在の日付から未来の日付を選択する未来日付選択手段と、前記未来日付選択手段により未来の日付が選択されると、前記未来の日付に対応する電子番組表を表示する電子番組表表示手段と、を更に備えたことを特徴とする。
【００１３】
また、第８の発明は、前記電子番組表に関連した日付選択画面において、選択表示された当該日時の電子番組表から所望の番組記録予約又は番組視聴予約を行う番組予約手段を備えることを特徴とする。
【００１４】
また、第９の発明は、第６又は第８の発明において、番組予約手段は、前記ストリーム記録情報から、選択された日以前に連続して毎週の一定時間に記録される番組を検出する検出手段と、前記検出手段における検出結果から毎週の番組記録予約又は番組視聴予約の設定を促す案内を表示する毎週予約表示手段と、を有することを特徴とする。
【００１５】
また、第１０の発明は、第６又は第８の発明において、前記番組予約手段は、前記ストリーム記録情報から、選択された日以前に連続して毎日の一定時間に記録される番組を検出する検出手段と、前記検出手段における検出結果から毎日の番組記録予約又は番組視聴予約の設定を促す案内を表示する毎日予約表示手段と、を有することを特徴とする。
【００１６】
また、第１１の発明は、第２の発明において、電子番組表情報を取得する電子番組表取得手段を更に備え、前記日付選択画面作成手段は、前記電子番組表取得手段により取得した前記電子番組表に関連した日付選択画面を作成する番組表日付選択画面作成手段を更に有し、日付ごとに表示される前記日付選択画面において、現在日時から過去の日時を選択する過去日付選択手段と、前記過去日付選択手段により選択された過去の日付の電子番組表を表示する過去電子番組表表示手段と、を備えたことを特徴とする。
【００１７】
また、第１２の発明は、第１１の発明であって、
前記過去電子番組表表示手段は、前記表示された番組に関するデータストリームがデジタルメディアに記録されている場合に識別表示を行う記録済識別表示手段を備えることを特徴とする。
【発明の効果】
【００１８】
第１の発明によれば、ストリーム記録情報に基づいて番組に関するデータストリームが並べ替えて配列され、その中からデータストリームが選択されることとなる。したがって、ユーザはデジタル記録メディアに記録されたデータストリーム（番組）を選択する際に、番組が所定の順序にて並べ替えて選択画面が表示されることにより、多くの記録された番組の中から、所望する番組を適切に選択することができる。
【００１９】
第２の発明によれば、データストリームを記録日時毎に表示し、日付が選択されることによりデータストリームが選択されることとなる。したがって、ユーザは日付を選択することにより、記録されたデータストリーム（番組）の中から当該日付に記録された番組を選択することができる。
【００２０】
第３の発明によれば、ユーザにより選択された日付に記録されたデータストリームに関するストリーム記録情報が表示されることとなる。したがって、ユーザが日付を選択すると、選択された日付に記録されたデータストリーム（番組）のストリーム記録情報（番組情報）が表示されることにより、分かりやすく番組を選択することができる。
【００２１】
第４の発明によれば、日付選択画面が表示される際に、一ヶ月毎のカレンダー形式で表示されることとなる。したがって、カレンダー形式で表示されることにより、ユーザは記録したデータストリーム（番組）をカレンダーの表示イメージで捉えることができ、いつ、どのような番組を記録したかの確認を分かりやすくするとともに、そのカレンダーイメージで記録済みの番組の再生、番組情報を確認するための選択についての、操作性を向上することができる。
【００２２】
第５の発明によれば、同日に複数のデータストリームが記録されている場合であっても、それぞれのストリーム記録情報が表示されることとなる。したがって、ユーザは日付を選択した後に、更にストリーム情報（番組情報）を参照することにより、所望する番組を適切に選択することができる。
【００２３】
第６の発明によれば、指定された日付、時間、受信チャンネルの番組記録予約又は番組視聴予約を行うことができるようになる。したがって、ユーザは日付選択画面の状態から番組記録予約（番組視聴予約）の状態まで連続して操作を行うことにより、利便性が向上する。
【００２４】
第７の発明によれば、選択された日付に対応する電子番組表が表示されることとなる。したがって、ユーザはカレンダー形式の中から日付を選択すると、当該日付の電子番組表を確認することができ、操作性が向上する。
【００２５】
第８の発明によれば、電子番組表に表示された番組から番組記録予約又は番組視聴予約を行うことができる。したがって、ユーザは日付選択画面の状態から番組記録予約（番組視聴予約）の状態まで連続して操作を行うことにより、利便性が向上することとなる。
【００２６】
第９の発明によれば、選択された日以前に連続して毎週一定時間に記録されている番組が検出された場合には、番組予約の設定を促す案内が表示されることとなる。したがって、例えば、同時間帯の番組を毎週記録している場合に、ユーザが電子番組表を表示させると、その番組を番組記録予約するよう識別表示させることにより、利便性が向上する。また、毎週記録されている傾向がある番組に関する予約を促すことで、ユーザの嗜好性に配慮した予約処理を提供できる。
【００２７】
第１０の発明によれば、選択された日以前に連続して毎日一定時間に記録されている番組が検出された場合には、番組予約の設定を促す案内が表示されることとなる。したがって、例えば、同時間帯の番組を毎日記録している場合に、ユーザが電子番組表を表示させると、その番組を番組記録予約するよう識別表示させることにより、利便性が向上する。また、毎日記録されている傾向がある番組に関する予約を促すことで、ユーザの嗜好性に配慮した予約処理を提供できる。
【００２８】
第１１の発明によれば、日付選択画面において過去の日付が選択された場合でも、当該日付の電子番組表が表示されることとなる。したがって、ユーザが現在より前の日付を選択した場合であっても、選択した日の電子番組表を確認することができる。
【００２９】
第１２の発明によれば、電子番組表において表示される番組に関するデータストリームが記録済みである場合には、識別表示が行われることとなる。したがって、ユーザは電子番組表を見た際に、どの番組が記録済みであるかを容易に識別することができるようになる。
【発明を実施するための最良の形態】
【００３０】
次に、図を参照して、本発明を記録再生装置の一種であるデジタル記録再生装置に適用した場合の実施の形態について図面を参照して詳細に説明するが、本発明が適用可能なものはこれに限定されるものではない。
【００３１】
＜構成＞
図１は、デジタル記録再生装置１００の構成を示すブロック図である。同図に示すように、デジタル記録再生装置１００は、ＢＳデジタルアンテナ１と、地上波アンテナ２と、受信信号復調部３と、システム制御部４と、ストリーム管理部及びハードディスクドライブ（以下、適宜「ＨＤＤ」と表す。）制御部５と、ＨＤＤ６と、ＡＶデコーダ部７と、番組記録リスト生成部８と、番組表取得生成部９と、予約処理部１０と、日付選択画面作成制御部１１と、画面表示制御部１２とを備えて構成されている。
【００３２】
ＢＳデジタルアンテナ１及び地上波アンテナ２は、放送局から送信されたＢＳデジタル放送、地上波デジタル放送及び地上波アナログ放送の信号（放送波）を受信するためのアンテナである。ＢＳデジタルアンテナ１又は地上波アンテナ２により受信された信号は、受信信号復調部３に入力される。
【００３３】
受信信号復調部３は、上述のＢＳデジタルアンテナ１又は地上波アンテナ２より入力された信号を復調し、ストリーム管理部及びＨＤＤ制御部５のストリーム管理部５ａに受信データストリームとして出力する。ここで、受信データストリームには、複数の信号・データ等が重畳的に含まれており、例えば、放送局から放送された番組に関する映像や音声が含まれたデータストリーム、番組に関する情報が含まれたサービスインフォメーション（ＳＩ）データ（以下、番組に関する情報を「番組情報」という）等が含まれている。
【００３４】
システム制御部４は、デジタル記録再生装置１００における各部を制御する中央演算処理部にあたるものであり、システム制御部４が各処理を実行することにより、各処理がハードウェアを用いて具体的に実現されるものである。
【００３５】
ストリーム管理部及びＨＤＤ制御部５は、ストリーム管理部５ａと、ＨＤＤ制御部５ｂとを含んで構成されている。ストリーム管理部５ａは、受信信号復調部３から入力された受信データストリームを分離して、後段の各部へ各種分離したデータを出力する。また、ＨＤＤ制御部５ｂは、システム制御部４からの指示に従って、ストリーム管理部５ａにおいて分離されたデータストリームを、ＨＤＤ６に記録する制御を行う。さらに、データストリームを記録する際に、記録するデータストリームに対応する番組の番組名、受信チャンネル、記録日時、記録時間及びデータストリームを記録する際の記録形式をストリーム記録情報６３としてＨＤＤ６に記憶する。
【００３６】
ＨＤＤ６は、ランダムアクセス可能なデジタル記録メディアであり、データストリーム６１、ストリーム記録情報６３が記録される。ここで、データストリーム６１は、ストリーム管理部５ａにより分離されたデータストリームが記録されている。データストリーム６１は、番組の映像データ、音声データ等が含まれる動画ファイルであり、例えば、ＭＰＥＧや、Ｈ．２６４等の動画圧縮技術が用いられている。
【００３７】
そして、データストリーム６１が蓄積・記録されると、当該データストリームに関する記録情報がストリーム記録情報６３として記憶される。
【００３８】
図２は、ストリーム記録情報６３のデータ構造の一例を示した図である。ストリーム記録情報６３は、管理するための番号「No」（例えば、「1」）と、データストリーム６１が記録された「記録日」（例えば、「3/9」）と、当該データストリーム６１に対応する番組の番組名として「記録番組名」（例えば、「ハリウッド映画」）と、当該番組を受信した「チャンネル」（例えば、「103」）と、当該番組を記録していた「記録時間」（例えば、「21:00〜23:10」）と、データストリーム６１の「記録時間長」（例えば、「2時間10分」）と、データストリーム６１が記録されている「形式」（例えば、「HD」）と、データストリーム６１の「ストリーム名」（例えば、「03092100.mpg」）とを記憶している。
【００３９】
ここで、データストリーム６１の形式とは、データストリーム６１の画質、ビットレート等を複数のモードに対応して表したものである。例えば、図２においては、通常の画質の形式を「ＳＤ」と、通常の画質と比較してより高画質で記録している形式を「ＨＤ」と表している。
【００４０】
なお、図１に示すデジタル記録再生装置１００に備えられているデジタル記録メディアとしては、ＨＤＤに限定されるものではなく、例えばＤＶＤ(Digital Versatile Disk)、ブルーレイディスク等の光ディスクや、光磁気ディスク等であっても良いことは勿論である。
【００４１】
ＡＶデコーダ部７は、ストリーム管理部及びＨＤＤ制御部５で分離されたデータストリーム、又はＨＤＤ６に記憶されたデータストリーム６１が入力されると、入力されたデータストリームから番組をデコードし、画面表示制御部１２に出力する。
【００４２】
番組記録リスト生成部８は、ＨＤＤ６に記録されているストリーム記録情報６３から、ＨＤＤ６に記録されている番組に関するリスト（以下、適宜「番組記録リスト」という。）を生成する。例えば、５月がユーザにより選択されている場合、記録日が５月のストリーム記録情報６３を取得し、番組記録リストとして生成する。そして、生成された番組記録リストを、日付選択画面作成制御部１１に出力する。
【００４３】
番組表取得生成部９は、ストリーム管理部５ａにおいて受信ストリームから分離された番組情報を取得し、電子番組表を生成する。そして、生成された電子番組表を、日付選択画面作成制御部１１に出力する。
【００４４】
予約処理部１０は、番組記録予約又は番組視聴予約（以下、これらを併せて「番組予約」という。）を実行する為の処理部である。ユーザにより番組予約がなされると、予約処理部１０は所定時間になったときに、番組を記憶又は視聴させる為の制御信号をシステム制御部４に出力する。
【００４５】
日付選択画面作成制御部１１は、番組記録リスト生成部８で生成された番組記録リスト及び番組表取得生成部９で生成された電子番組表から、表示画面を作成し、画面表示制御部１２に出力する。また、ユーザに日付の選択を行わせる制御を行う。
【００４６】
画面表示制御部１２は、ＡＶデコーダ部７からの出力された映像信号と、日付選択画面作成制御部１１で作成された画面データを表示する制御を行うものである。入力された映像信号及び画面データは合成されて、画面表示装置(不図示)に出力・表示される。
【００４７】
＜動作＞
続いて、図を用いて本実施形態におけるデジタル記録再生装置１００の動作について説明する。
【００４８】
まず、デジタル記録再生装置１００が放送された番組を受信し、デジタル記録メディアに記録する動作について説明する。なお、以下の実施形態においては、ＢＳデジタル放送の信号（放送波）を受信することとして説明するが、地上波デジタル放送、ＣＡＴＶ等に適用した場合についても同様であることは勿論である。
【００４９】
放送局から送信された信号(放送波)は、ＢＳデジタルアンテナ１により受信され、受信信号復調部３において受信データストリームに復調される。そして、復調された受信データストリームは、受信信号復調部３からストリーム管理部５ａに出力される。
【００５０】
ストリーム管理部５ａは、入力された受信データストリームをデータストリーム（番組）と番組情報（ＳＩ）とに分離する。そして、分離されたデータストリームはＡＶデコーダ部７又はＨＤＤ６に、番組情報は番組表取得生成部９に出力される。
【００５１】
また、番組を記録する指示がなされると、ストリーム管理部及びＨＤＤ制御部５は番組の記録を開始する。ここで、番組を記録する指示は、ユーザにより手動で入力されるものであっても良いし、番組予約（番組記録予約）による指示であっても良いことは勿論である。
【００５２】
番組の記録開始の指示を受けると、システム制御部４は、ＨＤＤ制御部５ｂに対しストリームを記録開始する指示を行う。ＨＤＤ制御部５ｂは、ストリームデータをＨＤＤ６へ記録するとともに、ストリームデータに対応する番組に関する番組情報と、記録日時とをストリーム記録情報６３として記憶する。その後、記録停止の指示を受けると、ＨＤＤ制御部５ｂは記録を停止するとともに、記録時間長を記憶し、前記番組情報等とともにストリーム記録情報６３としてＨＤＤ６に記憶する。このように番組の記録を繰り返していくことで、システム内（ＨＤＤ６内）にデータストリーム（番組）が蓄積・記録されていく。また、データストリームに関するストリーム記録情報６３に併せて蓄積・記録されていく。
【００５３】
以下、データストリーム６１を読み出すことにより番組を再生する番組再生処理及び予約をして番組を記録又は視聴する番組予約処理について説明する。
【００５４】
＜番組再生処理＞
データストリーム６１をＨＤＤ６から読み出し、ＡＶデコーダ部７においてデコードする事により記録された番組を再生する場合について説明する。図３は、画面表示制御部１２が表示する表示画面Ｗ１０の一例を示した図である。表示画面Ｗ１０の上側にはカレンダー形式の記録リストであるカレンダー形式記録リストＣ１０が、下側には選択された番組を表す番組別記録リストＬ１０が表示されている。
【００５５】
カレンダー形式記録リストＣ１０は、選択された年月（例えば、「２００５年３月」）に対応する一月分のカレンダーが表示されている。また、記録済みの番組に対応する番組名が該当する日付の箇所に表示されており、さらに、番組名が表示されている日付（番組が記録されている日付）の箇所は網がけがされることにより識別表示されている。
【００５６】
例えば、図２のストリーム記録情報６３の「No1」を参照すると、ＨＤＤ６には「３月９日」に番組名「ハリウッド映画」の番組（ストリーム）が記録されている。したがって、カレンダー形式記録リストＣ１０の３月９日には、番組名ＢＭ１０「ハリウッド映画」が表示されている。さらに、３月９日の欄については、網がけが施されることにより識別表示されている。
【００５７】
そして、ユーザはカーソルＣＲ１を上下左右に移動させることにより、任意の日付を選択することができる。カーソルＣＲ１により選択されている日付に記録された番組の番組情報が画面下側の番組別記録リストＬ１０に同時に表示されることとなる。例えば、カーソルＣＲ１により３月９日が選択されていることから、３月９日に記録されている番組の番組情報が番組別記録リストＬ１０に表示されている。このように、記録番組名、記録チャンネル、記録時間、記録時間長、記録データ形式などの番組情報（ストリーム記録情報）が表示される番組別記録リストＬ１０と、カレンダー形式記録リストＣＲ１０とが同時に同一の画面上に表示されることで、より詳細な情報をユーザに提供することが可能となる。
【００５８】
さらに、同日に２つ以上の番組が記録されている場合について図を用いて説明する。図２のストリーム記録情報６３の「No6」「No7」は、「３月２９日」の同日付で２つの番組が記録されている。この場合、図４の表示画面Ｗ１２に表示されたカレンダー形式記録リストＣ１２を参照すると、「３月２９日」の欄に「ＢＳニュース」及び「お天気Ｎ」が表示されている。
【００５９】
この場合、カーソルＣＲ１を上下に移動させることにより、同日中に記録されている番組を選択することができる。図４のカーソルＣＲ３では、「お天気Ｎ」が選択されている。そして、カーソルＣＲ３により選択された「お天気Ｎ」に対応する番組情報が番組別記録リストＬ１２として表示画面Ｗ１２の下側に同時に表示されることとなる。
【００６０】
上記の番組再生処理について、図５の動作フローを用いて説明する。まず、日付選択画面作成制御部１１は、カレンダー画面（例えば、図３のカレンダー形式記録リストＣ１０）を作成する（ステップＳ１０）。続いて、番組記録リスト生成部８は、ストリーム記録情報６３に基づいて、番組記録リストを生成する（ステップＳ１２）。そして、日付選択画面作成制御部１１は、生成された番組記録リストから記録済みの番組の日付及び番組名を読み出し、カレンダー形式記録リストに表示する。また、番組が記録されている日付部分を識別表示する制御を行う（ステップＳ１４；例えば、図３のタイトルＢ１０）。
【００６１】
続いて、ユーザに日付を選択させる為に、カレンダー形式記録リストにカーソルを表示する（ステップＳ１６；例えば、図３のカーソルＣＲ１）。カーソルにより選択されている日付（以下、適宜「カーソル日」という。）に記録済みの番組がある場合（ステップＳ１８；Ｙｅｓ）、当該カーソル日には複数の番組が記録されているか否かを判定する（ステップＳ２０）。
【００６２】
カーソル日に１つの番組しか記録されていないと判定された場合には（ステップＳ２０；Ｎｏ）、当該カーソル日に記録されている番組の番組情報を、番組別記録リストとして同一画面に表示する（ステップＳ２２；例えば、図３の番組別記録リストＬ１０）。
【００６３】
他方、カーソル日に複数の番組が記録されている場合には（ステップＳ２０；Ｙｅｓ）、当該カーソル日に記録されている番組の中から一の番組が選択され、選択された番組情報を番組別記録リストとして同一画面に表示する（ステップＳ２４；図４の番組別記録リストＬ１２）。また、ユーザがカーソル操作により番組を変更したなら（ステップＳ２６；Ｙｅｓ）、新たに選択された番組に対応する番組情報を、番組別記録リストとして表示する。
【００６４】
ユーザによりカーソル日の変更操作がなされると（ステップＳ２８；Ｙｅｓ）、日付選択画面作成制御部１１はカーソルＣＲ１を移動し、併せてカーソル日を変更する（ステップＳ３０）。
【００６５】
他方、ユーザによりカーソル日の変更操作がなされず（ステップＳ２８；Ｎｏ）、番組決定操作がなされた場合には（ステップＳ３２；Ｙｅｓ）、選択された番組を再生する（ステップＳ３４）。具体的には、番組に対応するデータストリーム６１をＨＤＤ６から読み出す。そして、読み出されたデータストリームがＡＶデコーダ部７によりデコードされ、番組として再生される。
【００６６】
他方、番組決定操作がユーザによりなされない場合（ステップＳ３２；Ｎｏ）、処理が終了か否か判定する（ステップＳ３６）。処理の終了が入力された場合、番組再生処理を終了する（ステップＳ３６；Ｙｅｓ）。また、処理の終了が入力されない場合は（ステップＳ３６；Ｎｏ）、ステップＳ２８から処理を繰り返し実行する。
【００６７】
このように、番組再生処理によれば、デジタル記録再生装置１００に記録された番組を再生する際に、単なるリスト形式だけではなくカレンダー形式に番組を表示させ、表示させた番組の中から選択させることができる。したがって、ユーザが番組を再生する際の操作性が向上することとなる。
【００６８】
なお、番組再生処理において、同一日付に複数の番組が記録されている場合に、カレンダー形式記録リストに複数の番組名を表示することとして説明したが、番組別記録リストに番組情報を複数表示させる事としても良い。
【００６９】
図６は、表示画面Ｗ１４を示した一例を示す図である。ここで、カレンダー形式記録リストＣ１４における３月２９日の状態をみると、番組名「お天気Ｎ」が複数番組マークＭＫ１とともに表示されている。そして、カーソルＣＲ５によって３月２９日が選択されると、３月２９日に記録されている番組情報が番組別記録リストＬ１４に一覧表示されている。ここで、カーソルＣＲ７により番組「お天気Ｎ」が選択されると、番組「お天気Ｎ」が再生されることとなる。
【００７０】
＜番組予約処理＞
次に、デジタル記録再生装置１００において、番組予約処理を実行する場合について説明する。
【００７１】
まず、図１のストリーム管理部５ａは、入力された受信ストリームに含まれる番組情報を分離し、番組表取得生成部９に出力する。番組表取得生成部９は、現在の日時と番組情報とに基づいて電子番組表を生成する。
【００７２】
ここで、図７（ａ）に示すように、カレンダー形式記録リストを表示する場合を考える。図７（ａ）は、現在日時が「３月２７日午前１０：００」の時に画面表示制御部１２が表示装置に表示するカレンダー形式記録リストＣ５０の一例を示したものである。本図におけるカレンダー形式記録リストＣ５０では、現在の日付である「２７」日に点線ＴＤ５０を付している。
【００７３】
そして、「３月２７日」以降の日付である３月３１日にカーソルＣＲ５０が移動された後に電子番組表を表示する処理が選択されると、番組表取得生成部９で生成された電子番組表ＥＰＧ１が表示される（図７（ｂ））。そして、この電子番組表ＥＰＧ１に表示された番組の中から任意の番組が選択され、番組予約（番組記録予約や番組視聴予約）が設定される。
【００７４】
ここで、電子番組表ＥＰＧ１を表示する際に、例えば、毎週同時間に放送される連続ドラマが、過去に記録されていることを検出すると、連続して番組の記録予約ができるようにカーソルＣＲ５２が自動的に移動されて表示される。
【００７５】
具体的には、カレンダー形式記録リストＣ５０を参照すると、３月１７日に「連続ドラマ第３話」（Ｔ５０）が、３月２４日に「連続ドラマ第４話」（Ｔ５２）が記録されている。したがって、３月３１日の電子番組表ＥＰＧ１を表示する際には、「連続ドラマ  第５話」にカーソルＣＲ５２を自動的に移動し、番組を選択させる。このように、毎週同曜日の同チャンネル、同時間帯に連続して番組が記録されていることを検出した場合には、電子番組表を表示する際に、カーソルを自動的に移動して表示することにより、ユーザに対して、番組予約の設定を促す案内をすることが可能となる。
【００７６】
同様に、毎日連続して記録されている番組を検出した場合にも、電子番組表を表示する際に自動的に同チャンネル、同時間帯の番組にカーソルを移動することにより、ユーザに番組予約の設定を促す案内をすることが可能となる。
【００７７】
さらに、現在より過去の日付の電子番組表を表示した場合について図８を用いて説明する。ここでは、デジタル記録再生装置１００は、生成した電子番組表を過去の一定期間（例えば過去１ヶ月分）記憶していることとする。この場合、カレンダー形式記録リストで、現在日時より過去の日付を選択した場合であっても、当該日付の電子番組表を表示することができる。このとき、記録されている番組については、その電子番組表上で記録済である旨を確認できるような、画面上の表示を行う。
【００７８】
図８（ａ）は、現在日時が３月２７日の午前１０：００において画面表示制御部１２が表示装置に表示するカレンダー形式記録リストＣ５２の一例を示したものである。
【００７９】
ここで、カーソルＣＲ５６により、現在の日付「３月２７日」より過去の日付「３月９日」を選択されている。ここで、電子番組表を表示する操作がなさると図８（ｂ）の状態に遷移する。図８（ｂ）は、３月９日の電子番組表ＥＰＧ２を表した図である。
【００８０】
カレンダー形式記録リストＣ５２によると、３月９日は「ハリウッド映画」が記録されていることが表示されている。この「ハリウッド映画」に対応する番組が、電子番組表ＥＰＧ２において、カーソルＣＲ５８で選択されている番組である。また、番組「ハリウッド映画」には、すでに記録された事を示すマークＭＫ５０が付されている。このマークＭＫ５０が表示されていることにより、ユーザは番組「ハリウッド映画」がＨＤＤ６に記録されている（録画されている）ことを把握することができる。
【００８１】
上記の番組予約処理について、図９の動作フローを用いて説明する。ユーザにより番組予約操作がなされると、カレンダー形式記録リストが表示される（例えば、図７（ａ）のカレンダー形式記録リストＣ５０）。カレンダー形式記録リストには、番組記録リストに記憶されている番組名が該当する日付に表示されており、また、記録済み又は記録予定の番組がある日付は識別表示されている。
【００８２】
まず、日付選択画面作成制御部１１は、カーソルを現在日に表示する（ステップＳ５０）。次にユーザによりカーソル操作がなされると（ステップＳ５２；Ｙｅｓ）、ユーザ操作に合わせてカーソルを移動し、番組予約候補を更新する（ステップＳ５４；例えば、図７（ａ）のカーソルＣＲ５０）。
【００８３】
ここで、番組予約候補は、番組を記録又は視聴する予約を行う番組について定めたものであり、例えば、記録日時、チャンネル、記録時間長、記録形式等が設定されている。そして、カーソル日が変更された場合、カーソル日に合わせて番組予約候補の日付も更新される。
【００８４】
続いて、カーソル日が、現在日以降であるか否か（カーソル日が未来であるか否か）を判定する（ステップＳ５６）。ここで、カーソル日が現在日以降である場合（ステップＳ５６；Ｙｅｓ）、番組記録リストに毎週一定時間に記録された番組が連続してあるか否かを判定する（ステップＳ５８）。そして、毎週一定時間に記録された番組が連続してある（例えば、図７（ａ）のＴ５０、Ｔ５２）と判定された場合には（ステップＳ５８；Ｙｅｓ）、番組予約候補を連続して記録された番組と同じ「CH」「記録時間」で更新する（ステップＳ６４）。
【００８５】
ここで、毎週一定時間に記録された番組が連続してあるか否かを判定する方法としては種々の方法が考えられるが、一例として、番組記録リストの同じ曜日に「CH」及び「記録時間」が同じである番組が連続して記録されているか否かを検出する。そして、連続して記録されている番組がある場合に、毎週一定時間に記録された番組があると判定する。
【００８６】
また、毎週一定時間に記録された番組が連続して無い場合には（ステップＳ５８；Ｎｏ）、次は毎日一定時間に記録された番組が連続してあるか否かを判定する（ステップＳ６０）。そして、毎日一定時間に記録された番組が連続してあると判定された場合には（ステップＳ６０；Ｙｅｓ）、番組予約候補を同じ「CH」及び「記録時間」で更新する。
【００８７】
続いて、ユーザにより電子番組表（ＥＰＧ）を表示させる操作がされた場合には（ステップＳ６６；Ｙｅｓ）、電子番組表（ＥＰＧ）を表示する（ステップＳ６８；例えば、図７（ｂ）の電子番組表ＥＰＧ１）。ここで、現在日とカーソル日を比較し、カーソル日が現在日以降である場合（カーソル日が未来の場合）には（ステップＳ７０；Ｙｅｓ）、番組予約候補に基づいてカーソルを表示する（ステップＳ７２；例えば、図７（ｂ）のカーソルＣＲ５２）。ここで、表示された電子番組表の中からユーザにより番組が選択・決定される操作がされると（ステップＳ７４；Ｙｅｓ）、番組予約候補の番組が決定され、番組予約を実行する（ステップＳ７６）。
【００８８】
他方、現在日がカーソル日より前の場合（カーソル日が過去の場合）には（ステップＳ７０；Ｎｏ）、カーソル日に対応する電子番組表を読み出して表示する（ステップＳ７２；例えば、図８の電子番組表ＥＰＧ２）。ここで、表示された電子番組表の中に記録された番組が有る場合には（ステップＳ８０；Ｙｅｓ）、該当する番組の箇所に、記録済マークを表示する（ステップＳ８２；例えば、図８のマークＭＫ５０）。
【００８９】
そして、ユーザにより処理の終了が操作された場合には（ステップＳ８４；Ｙｅｓ）、番組予約処理を終了し、処理の終了が操作されない場合には（ステップＳ８４；Ｎｏ）、ステップＳ５２に処理を移行する。
【００９０】
このように、番組予約処理によれば、カレンダー形式の記録リストから番組予約が行えるだけではなく、毎週又は毎日記録している番組が有る場合には、カーソルを自動的に移動することにより、ユーザが行う番組予約の操作を補助する事ができる。さらに、カレンダー形式の記録リストから、過去の日付を選択した際に、過去の電子番組表が表示され、記録済みの番組には記録済みである旨が表示される。
【００９１】
なお、このようなカレンダー形式記録リストを用いた予約においては、番組表情報が放送局から送出されていない場合、番組情報を取得できず、電子番組表を生成することが出来ない。このときは、任意の日付、時間及び記録チャンネルを指定することで、予約を設定することができることは勿論である。また、番組表情報を取得している場合であっても、任意の日時を指定することで、番組予約を行えることは勿論である。
【００９２】
＜変形例＞
上述した各実施形態では、ＢＳデジタル放送、地上波テレビ放送を受信するデジタル記録再生装置を適用例として説明したが、本発明のデジタル記録再生装置は、このような製品に限定されるものではなく、例えば、携帯電話、パソコン、ＰＤＡ（Personal Digital Assistants）などの電子機器全般に適用可能である。
【００９３】
また、上述した実施形態においては、番組記録リストとして表示するカレンダー形式は１ヶ月のものを例として説明したが、他の期間、例えば、１週間、２週間、１日等のいずれの期間であっても適用可能である。
【００９４】
また、上述した実施形態においては、ＨＤＤ６がデジタル記録再生装置１００に備えていることとして説明したが、例えば、データストリーム６１をサーバに記憶することとすれば、ＨＤＤ６等のランダムアクセスなデジタル記録メディアはデジタル記録再生装置に備えていなくても良い。
【図面の簡単な説明】
【００９５】
【図１】本実施形態におけるデジタル記録再生装置におけるブロック図である。
【図２】ストリーム記録情報のデータ構成の一例を示した図である。
【図３】カレンダー形式記録リスト及び番組別記録リストの画面表示例を示した図である。
【図４】カレンダー形式記録リスト及び番組別記録リストの画面表示例を示した図である。
【図５】番組再生処理の動作フローを示した図である。
【図６】カレンダー形式記録リスト及び番組別記録リストの画面表示例を示した図である。
【図７】カレンダー形式記録リスト及び電子番組表の画面表示例を示した図である。
【図８】カレンダー形式記録リスト及び電子番組表の画面表示例を示した図である。
【図９】記録予約リストの一例を示した図である。
【符号の説明】
【００９６】
１  ＢＳデジタルアンテナ
２  地上波アンテナ
３  受信信号復調部
４  システム制御部
５  ストリーム管理部及びＨＤＤ制御部
５ａ  ストリーム管理部
５ｂ  ＨＤＤ制御部
６  ＨＤＤ
６１  データストリーム
６３  ストリーム記録情報
７  ＡＶデコーダ部
８  番組記録リスト生成部
９  番組表取得生成部
１０  予約処理部
１１  日付選択画面作成制御部
１２  画面表示制御部
【図１】
2007012102.tif 000003
【図２】
2007012102.tif 000004
【図３】
2007012102.tif 000005
【図４】
2007012102.tif 000006
【図５】
2007012102.tif 000007
【図６】
2007012102.tif 000008
【図７】
2007012102.tif 000009
【図８】
2007012102.tif 000010
【図９】
2007012102.tif 000011